(57)【特許請求の範囲】
【請求項１】
ディスプレイと、
前記ディスプレイの背面を覆うリアカバーと、
前記ディスプレイが露出した開口部が設けられた前壁と、前記前壁から前記リアカバーに向けて延びた側壁とを有したフロントマスクと、
前記側壁の内面から突出した前記フロントマスクの一部であって、前記ディスプレイの側面に面した第１部分と、該第１部分から前記リアカバーに向いて延びて前記ディスプレイの背面よりも前記リアカバー側に突出した第２部分とを有した支持部と、
前記ディスプレイと前記リアカバーとの間に収容され、前記第２部分に沿って前記ディスプレイの背面に取り付けられて前記第２部分に接した第１部品と、
を有した電子機器。
【請求項２】
請求項１の記載において、
前記支持部は、前記ディスプレイの背面と略平行な方向で前記側壁の内面から突出し、前記支持部と前記リアカバーとの間には、第２部品が収容可能な空間が設けられた電子機器。
【請求項３】
請求項１または請求項２の記載において、
前記支持部の少なくとも一部は、前記ディスプレイと前記リアカバーとの間に位置し、前記ディスプレイの背面を支持する電子機器。
【請求項４】
請求項１または請求項３の記載において、
前記支持部は、前記側壁の内面に沿って環状に設けられた電子機器。
【請求項５】
請求項４の記載において、
前記ディスプレイと前記リアカバーとの間に収容された第３部品をさらに有し、
前記第３部品の少なくとも一部は、前記環状の支持部が規定した開口部の内側に位置した電子機器。
【請求項６】
請求項４または請求項５の記載において、
バッテリケースを有して前記ディスプレイと前記リアカバーとの間に収容されたバッテリをさらに備え、
前記バッテリケースの少なくとも一部は、前記環状の支持部が規定した開口部の内側に位置して前記ディスプレイの背面を支持する電子機器。
【請求項７】
請求項１または請求項６の記載において、
前記ディスプレイは、該ディスプレイを駆動する回路基板を有し、
前記回路基板は、前記支持部と前記リアカバーとの間に位置して前記支持部に取り付けられた電子機器。
【請求項８】
ディスプレイと、
前記ディスプレイが露出した開口部が設けられた前壁と、前記ディスプレイの背面を覆う背壁と、該前壁と前記背壁とに亘る側壁とを有し、前記ディスプレイが収容された筐体と、
前記筐体の一部であって、前記側壁の内面に設けられ、前記ディスプレイの側面に面した第１部分と該第１部分から前記背壁に向いて延びて前記ディスプレイの背面よりも前記背壁側に突出した第２部分とを有した支持部と、
前記ディスプレイと前記背壁との間に収容され、前記第２部分に沿って前記ディスプレイの背面に取り付けられて前記第２部分に接した部品と、
を有した電子機器。
【請求項９】
請求項８の記載において、
前記ディスプレイの前面に面した透光性のパネルをさらに有し、
前記支持部は、前記ディスプレイ及び前記パネルの少なくとも一方を支持した電子機器。
【請求項１０】
表示部と、
前記表示部の背面を覆うリアカバーと、
前記表示部の前面が露出した開口部が設けられた前壁と、前記前壁から前記リアカバーに向いて延びた側壁とを有したフロントマスクと、
前記側壁の内面から突出した前記フロントマスクの一部であって、前記側壁の内面に沿って環状に設けられるとともに、前記表示部に面した第１部分と前記表示部の背面よりも前記リアカバー側に位置した第２部分とを有して前記表示部を支持した支持部と、
バッテリケースを有して前記表示部と前記リアカバーとの間に収容されたバッテリと、
を備え、
前記バッテリケースの少なくとも一部は、前記環状の支持部が規定した開口部の内側に
位置して前記表示部の背面を支持する電子機器。
【請求項１１】
柔軟性を有した表示部と、
前記表示部の背面を覆うリアカバーと、
前記表示部の前面が露出した開口部が設けられた前壁と、前記前壁から前記リアカバーに向いて延びた側壁とを有したフロントマスクと、
前記側壁の内面から突出した前記フロントマスクの一部であって、前記側壁の内面に沿って環状に設けられるとともに、前記表示部に面した第１部分と前記表示部の背面よりも前記リアカバー側に位置した第２部分とを有して前記表示部を支持した支持部と、
前記環状の支持部が規定した開口部の内側に配置され、前記表示部が前記リアカバーに向いて押されて撓むことで前記表示部によって操作されるスイッチと、
を備えた電子機器。
【請求項１２】
電源が切られた状態で背後が透けて見える表示部と、
前記表示部の背面を覆うリアカバーと、
前記表示部の前面が露出した開口部が設けられた前壁と、前記前壁から前記リアカバーに向いて延びた側壁とを有したフロントマスクと、
前記側壁の内面から突出した前記フロントマスクの一部であって、前記側壁の内面に沿って環状に設けられるとともに、前記表示部に面した第１部分と前記表示部の背面よりも前記リアカバー側に位置した第２部分とを有して前記表示部を支持した支持部と、
前記環状の支持部が規定した開口部の内側に配置され、前記表示部の電源が切られた状態で前記表示部を通して視認可能な他の表示部と、
を備えた電子機器。
【請求項１３】
請求項１０乃至請求項１２のいずれかの記載において、
前記支持部の少なくとも一部は、前記表示部と前記リアカバーとの間に位置し、前記表示部の背面を支持する電子機器。
【請求項１４】
請求項１０乃至請求項１３のいずれかの記載において、
前記表示部は、柔軟性を有し、
前記リアカバーは、複数の部材と、該複数の部材の間に設けられた第１弾性部とを有し、
前記フロントマスクは、複数の部材と、前記第１弾性部に対応した位置で前記複数の部材の間に設けられた第２弾性部とを有し、
前記第１弾性部及び前記第２弾性部を中心として折り曲げ可能な電子機器。
【発明の詳細な説明】
【技術分野】
【０００１】
本発明の実施形態は、テレビジョン受像機を含む電子機器に関する。
【背景技術】
【０００２】
表示部が収容された筐体を有した電子機器が提供されている。
【先行技術文献】
【特許文献】
【０００３】
【特許文献１】特開２０１１−８４４８号公報
【発明の概要】
【発明が解決しようとする課題】
【０００４】
電子機器は、放熱性の向上が要望されている。
【０００５】
本発明の実施形態は、放熱性の向上を図ることができる電子機器を提供することを目的の一つとする。
【課題を解決するための手段】
【０００６】
一つの実施形態によれば、電子機器は、ディスプレイと、前記ディスプレイの背面を覆うリアカバーと、フロントマスクと、支持部と、第１部品とを有する。前記フロントマスクは、前記ディスプレイが露出した開口部が設けられた前壁と、前記前壁から前記リアカバーに向けて延びた側壁とを有する。前記支持部は、前記側壁の内面から突出した前記フロントマスクの一部であって、前記ディスプレイの側面に面した第１部分と、該第１部分から前記リアカバーに向いて延びて前記ディスプレイの背面よりも前記リアカバー側に突出した第２部分とを有する。前記第１部品は、前記ディスプレイと前記リアカバーとの間に収容され、前記第２部分に沿って前記ディスプレイの背面に取り付けられて前記第２部分に接する。
【図面の簡単な説明】
【０００７】
【図１】第１実施形態に係るテレビジョン受像機の正面図。
【図２】図１中に示されたテレビジョン受像機の側面図。
【図３】図１中に示されたテレビジョン受像機の表示ユニットの断面図。
【図４】図３中に示された表示ユニットを分解して示す断面図。
【図５】第２実施形態に係るテレビジョン受像機の表示ユニットの断面図。
【図６】第３実施形態に係る電子機器の斜視図。
【図７】図６中に示された電子機器の内部を示す平面図。
【図８】図６中に示された電子機器の内部を示す平面図。
【図９】図６中に示された電子機器の断面図。
【図１０】図６中に示された電子機器の一例を示す断面図。
【図１１】図１０中に示されたリアカバーの細部の一例を示す斜視図。
【図１２】図１０中に示されたフロントマスクの細部の一例を示す斜視図。
【図１３】図１０中に示されたリアカバーの別の細部の一例を示す斜視図。
【図１４】図１０中に示されたフロントマスクの別の細部の一例を示す斜視図。
【図１５】図１０中に示されたリアカバーの一例を示す斜視図。
【図１６】図１０中に示されたフロントマスクの一例を示す斜視図。
【図１７】図１０中に示されたフロントマスクのさらに別の細部の一例を示す斜視図。
【図１８】図１０中に示された電子機器の変形例を示す断面図。
【図１９】第４実施形態に係る電子機器の断面図。
【図２０】第５実施形態に係る電子機器の断面図。
【図２１】第６実施形態に係る電子機器の断面図。
【図２２】第７実施形態に係る電子機器の断面図。
【図２３】第８実施形態に係る電子機器の断面図。
【図２４】第９実施形態に係る電子機器の断面図。
【図２５】第１０実施形態に係る電子機器の断面図。
【図２６】第１１実施形態に係る電子機器のフロントマスクの斜視図。
【図２７】図２６中に示された取出部を拡大して示す図。
【図２８】図２７中に示された取出部の第１変形例を示す図。
【図２９】図２７中に示された取出部の第２変形例を示す図。
【図３０】第１２実施形態に係る電子機器を分解して示す斜視図。
【図３１】図３０中に示されたリアカバーを示す平面図。
【図３２】第１３実施形態に係る電子機器の断面図。
【図３３】第１４実施形態に係る電子機器の断面図。
【図３４】第１５実施形態に係る電子機器の断面図。
【図３５】第１６実施形態に係る電子機器の断面図。
【図３６】第１７実施形態に係る電子機器の断面図。
【図３７】第１８実施形態に係る電子機器の断面図。
【図３８】第１９実施形態に係る電子機器の断面図。
【図３９】第２０実施形態に係る電子機器の断面図。
【図４０】第１乃至第２０の実施形態に係る変形例を示す図。
【発明を実施するための形態】
【０００８】
以下、実施の形態について、図面を参照して説明する。なお本明細書では、テレビジョン受像機及び電子機器について、ユーザが利用する姿勢（ユーザーが表示画面に向かい合う姿勢）を基準に前後左右を定義する。つまり、手前側（ユーザ側、表示画面が露出する側）を前側、ユーザから見て遠い側（表示画面とは反対側）を後側、ユーザから見て左側を左側、ユーザから見て右側を右側と定義する。
【０００９】
さらに、複数の表現が可能な各要素について一つ以上の他の表現の例を付すことがあるが、これは他の表現が付されていない要素について異なる表現がされることを否定するものではないし、例示されていない他の表現がされることを制限するものでもない。
【００１０】
（第１実施形態）  
図１乃至図４は、第１実施形態に係るテレビジョン受像機１を開示している。テレビジョン受像機１は、「電子機器」の一例である。テレビジョン受像機１は、表示ユニット２と、該表示ユニット２を支持したスタンド３（支持部、台）とを有する。スタンド３は、例えば外部載置面Ｓ（載置面、設置面）に置かれ、表示ユニット２を起立した状態に支持する。
【００１１】
図１及び図２に示すように、表示ユニット２は、扁平な箱状の筐体４と、該筐体４に取り付けられた（収容された）表示部５とを有する。本実施形態に係る表示部５は、ディスプレイ６と、透光性のパネル７とを有する。
【００１２】
ディスプレイ６（表示装置、表示モジュール、表示パネル、パネル、表示シート、シート）は、画像や映像が表示される表示画面８を有する。ディスプレイ６の一例は、例えば液晶ディスプレイ（ＬＣＤ，Liquid Crystal Display）、または有機ＥＬディスプレイ（ＯＥＬＤ，Organic Electro-Luminescent Display）である。なお、ディスプレイ６は、これらに限定されるものではなく、種々のディスプレイが広く適用可能である。
【００１３】
図３に示すように、ディスプレイ６は、例えば矩形状の板状である。ディスプレイ６は、前面６ａ（第１面）、背面６ｂ（後面、第２面）、及び側面６ｃ（周面、第３面）を有する。前面６ａは、表示画面８を含む。背面６ｂは、前面６ａとは反対側に位置し、前面６ａと略平行に延びている。側面６ｃは、前面６ａ及び背面６ｂとは交差した方向（例えば略直交した方向）に延びている。側面６ｃは、前面６ａの周端部（端部、縁部）と背面６ｂの周端部（端部、縁部）とを繋いでいる
図３に示すように、パネル７（パネル部）は、ディスプレイ６の前面６ａに面する。パネル７の外形は、例えばディスプレイ６の外形よりも大きい。パネル７の一例は、ディスプレイ６を覆う保護パネル（保護部材、保護シート、シート、パネル）である。パネル７は、例えばディスプレイ６よりも剛性が高い材料で形成されている。本実施形態では、パネル７は、ディスプレイ６の前面６ａに重ねられ、ディスプレイ６の前面６ａに固定されている。
【００１４】
パネル７とディスプレイ６との間には、透光性（透明）の接着部（接着層）が設けられている。接着部の一例は、透光性の両面テープ（ＯＣＡ，Optical Clear Adhesion）である。これにより、ディスプレイ６は、パネル７に支持されている。
【００１５】
本実施形態では、パネル７は、タッチセンサが設けられたタッチパネルである。すなわち、パネル７は、センサ部（操作部、入力部、入力受付部）の一例である。ユーザは、例えばパネル７の表面から入力や操作を行うことができる。
【００１６】
なお、パネル７は、本実施形態のような保護パネルとタッチパネルの両方の機能を有したものに限られず、いずれか一方の機能を有したものでもよい。また、パネル７は、保護パネル及びタッチパネルのいずれの機能も有さずに、他の目的で設けられたものでもよい。
【００１７】
図３に示すように、パネル７は、例えば矩形状の板状である。パネル７は、前面７ａ（第１面）、背面７ｂ（後面、第２面）、及び側面７ｃ（周面、第３面）を有する。前面７ａは、テレビジョン受像機１の外部に露出されている。背面７ｂは、前面７ａとは反対側に位置し、前面７ａと略平行に延びている。側面７ｃは、前面７ａ及び背面７ｂとは交差した方向（例えば略直交した方向）に延びている。側面７ｃは、前面７ａの周端部（端部、縁部）と背面７ｂの周端部（端部、縁部）とを繋いでいる
ここで、パネル７の前面７ａは、表示部５の前面を構成する。ディスプレイ６の背面７ｂは、表示部５の背面を構成する。パネル７の側面７ｃ及びディスプレイ６の側面６ｃは、其々、表示部５の側面（周面）の一部を構成する。
【００１８】
図１乃至図３に示すように、筐体４は、前壁１１（第１壁）、背壁１２（後壁、第２壁）、及び側壁１３（周壁、第３壁）を有する。本実施形態に係る前壁１１は、ディスプレイ６の前面６ａよりも前方に位置した部分を含む。
【００１９】
前壁１１は、パネル７及びディスプレイ６の前面６ａ（表示画面８）が露出する第１開口部１４が設けられている。前壁１１は、パネル７の側面７ｃ（周面）を覆う枠状に形成されている。換言すれば、パネル７は、第１開口部１４に収容され、第１開口部１４の内側に位置する。パネル７の前面７ａは、例えば前壁１１の表面と略同じ平面上に位置し、前壁１１の表面とひと続きになる。
【００２０】
背壁１２は、前壁１１とは反対側に位置する。背壁１２は、ディスプレイ６の背後に位置し、ディスプレイ６の背面６ｂを覆う。背壁１２は、前壁１１と略平行に延びている。側壁１３は、前壁１１及び背壁１２とは交差した方向（例えば略直交した方向）に延びている。側壁１３は、筐体４の厚さ方向に延びている。側壁１３は、前壁１１（前壁１１の周端部、端部、縁部）と、背壁１２（背壁１２の周端部、端部、縁部）とを繋いでいる
図３に示すように、筐体４は、フロントマスク２１（フロントカバー、第１カバー、第１部材）と、リアカバー２２（ベース、第２カバー、第２部材）とを有する。フロントマスク２１及びリアカバー２２は、其々、筐体部材、カバー、覆い部、支持部、保護部、壁、部品、または部材の一例である。
【００２１】
フロントマスク２１は、前壁１１と、側壁１３とを有し、ディスプレイ６の側面を覆う。リアカバー２２は、背壁１２を有し、ディスプレイ６の背面６ｂを覆う。リアカバー２２は、フロントマスク２１に係合する。リアカバー２２がフロントマスク２１に取り付けられることで、筐体４の一例が構成される。
【００２２】
フロントマスク２１及びリアカバー２２は、其々、外装部材（外郭部材）の一例である。フロントマスク２１及びリアカバー２２は、其々、テレビジョン受像機１の外部に露出され、テレビジョン受像機１の外面（外観面、表面、外部露出面）の一部を構成する。フロントマスク２１は、スタンド３（外部支持部）に取り付けられ、スタンド３に支持される。
【００２３】
図３に示すように、本実施形態に係るリアカバー２２は、板状に形成されている。リアカバー２２は、前面２２ａ（内面、第１面）、背面２２ｂ（後面、外面、第２面）、及び側面２２ｃ（周面、第３面）を有する。前面２２ａは、筐体４の内部に露出し、ディスプレイ６の背面６ｂに面する。
【００２４】
背面２２ｂは、前面２２ａとは反対側に位置し、筐体４の外部に露出する。背面２２ｂは、前面２２ａと略平行に延びている。側面２２ｃは、前面２２ａ及び背面２２ｂとは交差した方向（例えば略直交した方向）に延びている。側面２２ｃは、筐体４の厚さ方向に延びている。側面２２ｃは、前面２２ａの周端部（端部、縁部）と背面２２ｂの周端部（端部、縁部）とを繋いでいる。
【００２５】
図３に示すように、側壁１３は、前壁１１からリアカバー２２（リアカバー２２の周端部）に向いて延びている。側壁１３の端部は、リアカバー２２の側方に位置し、リアカバー２２の側面２２ｃに面する（側面２２ｃを覆う）。このため、筐体４を側方から見た状態では、リアカバー２２が外部に露出されない。これにより、すっきりとした外観の筐体４が提供される。
【００２６】
図３に示すように、フロントマスク２１は、支持部２４（突出部、張出部、保持部、取付部、リブ、係り部、環状部、枠部）を有する。支持部２４は、フロントマスク２１の一部であり、フロントマスク２１と一体である。支持部２４は、側壁１３の内面１３ａから筐体４の内側に突出している。支持部２４は、側壁１３の内面１３ａからディスプレイ６の側面６ｃに向いて突出している。
【００２７】
支持部２４は、側壁１３の内面１３ａから、ディスプレイ６の背面６ｂと略平行な方向（筐体４の厚さ方向とは略直交した方向）に突出している。支持部２４は、側壁１３の内面に沿って環状（枠状）に設けられている。つまり、支持部２４は、ディスプレイ６の側面６ｃ（周面）を囲む環状に設けられている。支持部２４は、ディスプレイ６の周端部に沿う環状に設けられている。
【００２８】
支持部２４は、側壁１３の内面１３ａ（内周面）の全周に沿って一続きに突出している。これにより、支持部２４は、ディスプレイ６の側面６ｃ（周面）を囲む第２開口部２５を規定している。第２開口部２５は、第１開口部１４よりも小さい。
【００２９】
支持部２４は、前壁１１の表面に対して、例えばパネル７の厚さよりも大きな距離だけ後方に奥まった位置に設けられている。支持部２４は、ディスプレイ６の背面６ｂと略平行な方向で、前壁１１の第１開口部１４の内周面よりも、筐体４の内側（中央側）に突出している。これにより、第１開口部１４の後方に、パネル７が取付可能な取付部（取付面、載置面、載置部）が支持部２４によって設けられている。
【００３０】
支持部２４は、パネル７の背面７ｂの周端部に面し、パネル７の周端部を支持する。支持部２４は、パネル７を支持することで、パネル７を介してディスプレイ６を支持する。支持部２４とパネル７の背面７ｂとの間には、接着部（接着層）が設けられている。接着部は、例えば両面テープである。なお、支持部２４は、パネル７及びディスプレイ６の少なくとも一方を支持すればよい。
【００３１】
図３に示すように、支持部２４は、第１部分２４ａ（第１領域）と、第２部分２４ｂ（第２領域）とを有する。第１部分２４ａ及び第２部分２４ｂは、筐体４の厚さ方向に並ぶとともに、互いに繋がっている。なお、第１部分２４ａと第２部分２４ｂは、互いに離れて設けられてもよい。
【００３２】
第１部分２４ａは、側壁１３の内面１３ａから、ディスプレイ６の側面６ｃに向いて突出している。第１部分２４ａは、ディスプレイ６の側面６ｃに面する。本実施形態では、第１部分２４ａは、ディスプレイ６の側面６ｃを支持する。
【００３３】
なお、「ディスプレイの側面を支持する」とは、第１部分２４ａがディスプレイ６の側面６ｃに常に接して支持する場合に限らない。「ディスプレイの側面を支持する」とは、通常時では第１部分２４ａとディスプレイ６の側面６ｃとの間に隙間があるとともに、例えば組立時または外部から力が加わったときに、第１部分２４ａがディスプレイ６の側面６ｃに接してディスプレイ６の側面６ｃを支持する場合も含む。
【００３４】
図３に示すように、第２部分２４ｂは、第１部分２４ａからリアカバー２２に向いて延びている。すなわち、第２部分２４ｂは、第１部分２４ａから後方に向けて、筐体４の厚さ方向に延びている。
【００３５】
第２部分２４ｂは、ディスプレイ６の背面６ｂよりも後方に突出している。すなわち、第２部分２４ｂは、ディスプレイ６の背面６ｂよりもリアカバー２２側に突出している。第２部分２４ｂは、ディスプレイ６の背面６ｂよりも、リアカバー２２に近い。第１部分２４ａ及び第２部分２４ｂは、其々、第２開口部２５を規定する環状（枠状）に設けられている。
【００３６】
なお、例えば駆動基板などが設けられてディスプレイ６の背面６ｂが凹凸を有する場合、「ディスプレイの背面よりもリアカバー側に突出する」とは、ディスプレイ６の背面６ｂのなかで最も窪んだ部分（最もディスプレイの前面６ａの近くに位置した部分）よりも、リアカバー２２側に突出することを意味する。
【００３７】
同様に、「ディスプレイの背面よりも、リアカバーに近い」とは、ディスプレイ６の背面６ｂのなかで最も窪んだ部分（最もディスプレイの前面６ａの近くに位置した部分）よりも、リアカバー２２に近いことを意味する。その他、本明細書でディスプレイ６（または表示部５）の背面６ｂの位置を基準とする場合、ディスプレイ６の背面６ｂのなかで最も窪んだ部分（最もディスプレイの前面６ａの近くに位置した部分）を基準とする。
【００３８】
支持部２４の厚さＴ１（第１部分２４ａの厚さと第２部分２４ｂの厚さとの合計）は、ディスプレイ６の厚さＴ２よりも厚い。換言すれば、ディスプレイ６の厚さＴ２は、支持部２４の厚さＴ１よりも薄い。ディスプレイ６は、第２開口部２５に挿入され（収容され）、第２開口部２５の内側に位置する。ディスプレイ６は、支持部２４の厚さＴ１内に収まっている。
【００３９】
図３に示すように、テレビジョン受像機１は、第１部品２６（第１電子部品、第１機能部品）、第２部品２７（第２電子部品、第２機能部品）、及び第３部品２８（第３電子部品、第３機能部品）を有する。第１乃至第３部品２６、２７、２８は、其々、例えば回路基板、スピーカ、マイク、コネクタなどのいずれかであるが、これらに限定されるものではない。
【００４０】
第１部品２６は、ディスプレイ６とリアカバー２２との間に収容されている。第１部品２６は、例えば支持部２４の第２部分２４ｂに沿ってディスプレイ６の背面６ｂに取り付けられている。第１部品２６は、支持部２４の第２部分２４ｂに接する。第１部品２６は、支持部２４の第２部分２４ｂに接する面２６ａ（側面、支持面、取付面）を有する。
【００４１】
第１部品２６は、支持部２４の第２部分２４ｂによって側方から位置が規制される。つまり、第１部品２６は、支持部２４の第２部分２４ｂによって位置決めされる。図４に示すように、テレビジョン受像機１の組立作業では、第１部品２６を支持部２４の第２部分２４ｂに沿わせる（例えば当接させる）ことで、第１部品２６の位置決めを容易に行うことができる。
【００４２】
図３に示すように、支持部２４とリアカバー２２との間には、第２部品２７が収容される収容部２９（収容空間、空間）が設けられている。第２部品２７は、例えばリアカバー２２または支持部２４に取り付けられ、支持部２４とリアカバー２２との間に位置する。
【００４３】
第３部品２８は、例えば支持部２４から離れて、ディスプレイ６の背面６ｂに取り付けられている。第１部品２６及び第３部品２８の其々少なくとも一部は、第２開口部２５に挿入され、第２開口部２５の内側に位置する。
【００４４】
このような構成によれば、放熱性の向上及びディスプレイ６の保護を図ることができる。  
筐体４内には、複数の発熱部（発熱部品）が存在する。近年の薄型化が進むテレビジョン受像機１は、ファンを含む放熱構造を搭載するスペースの余裕がなく、筐体４内で熱が拡散されにくい。このため、テレビジョン受像機１は、放熱性の向上が要望される。
【００４５】
本実施形態では、フロントマスク２１の支持部２４は、表示部５の側面に面した第１部分２４ａと、該第１部分２４ａから表示部５の背面よりもリアカバー２２側に突出した第２部分２４ｂとを有して表示部５を支持する。
【００４６】
これによれば、ディスプレイ６の背後に、空気が移動するための隙間（空間）が存在しやすい。このため、筐体４内で熱が移動しやすく、筐体４内で熱が拡散しやすい。筐体４内で拡散した熱は、筐体４の外壁を通じて筐体４の外部に放出される。これにより、テレビジョン受像機１の放熱性を向上させることができる。さらに、支持部２４がディスプレイ６よりも厚く形成されていると、ディスプレイ６の周囲で筐体４の堅牢性を向上させることができ、ディスプレイ６の保護を図ることができる。
【００４７】
本実施形態では、ディスプレイ６とリアカバー２２との間に、第１部品２６が収容されている。第１部品２６は、支持部２４の第２部分２４ｂに沿って、ディスプレイ６の背面６ｂに取り付けられる。つまり、図４に示すように、組立作業者は、支持部２４の第２部分２４ｂを利用して、第１部品２６の実装位置の位置合わせ（位置決め）を行うことができる。このため、テレビジョン受像機１の組立性を向上させることができる。
【００４８】
本実施形態では、支持部２４とリアカバー２２との間には、第２部品２７が収容可能な収容部２９が設けられている。このような構成によれば、支持部２４とリアカバー２２との間に部品を実装することができ、テレビジョン受像機１の高密度実装、薄型化、小型化を図ることができる。
【００４９】
本実施形態では、ディスプレイ６とリアカバー２２との間に第３部品２８が収容されている。第３部品２８の少なくとも一部は、環状の支持部２４によって規定された第２開口部２５の内側に位置する。すなわち、第３部品２８は、第２開口部２５を利用して、筐体４内に搭載されている。これにより、筐体４の高密度実装、薄型化、小型化をさらに図ることができる。
【００５０】
（第２実施形態）  
次に、図５を参照して、第２実施形態に係るテレビジョン受像機１について説明する。なお、第１実施形態の構成と同一または類似の機能を有する構成は、同一の符号を付してその説明を省略する。また、下記に説明する以外の構成は、第１実施形態と同じである。
【００５１】
図５に示すように、本実施形態では、第２部分２４ｂの一部は、ディスプレイ６の背面６ｂと略平行な方向で、ディスプレイ６の側面６ｃよりも筐体４の内側（中央側）に突出している。これにより、第２部分２４ｂの少なくとも一部は、ディスプレイ６の背面６ｂとリアカバー２２との間に位置する。
【００５２】
第２部分２４ｂは、筐体４のディスプレイ６の背面６ｂに面し、ディスプレイ６の背面６ｂを支持する。なお、「表示部の背面を支持する」とは、支持部２４がディスプレイ６の背面６ｂに常に接して支持する場合に限らない。「表示部の背面を支持する」とは、通常時では支持部２４とディスプレイ６の背面６ｂとの間に隙間があるとともに、例えば外部から力が加わりディスプレイ６が撓んだときに、支持部２４がディスプレイ６の背面６ｂに接してディスプレイ６の背面６ｂを支持する場合も含む。
【００５３】
このような構成によれば、上記第１実施形態と同様の作用に加え、支持部２４によってディスプレイ６の背面６ｂを支持することができる。これにより、ユーザが表示部５の操作時に表示部５に加える押圧力の一部を、支持部２４によって受けることができる。これにより、ディスプレイ６の保護を図ることができる。さらに、支持部２４を大きく設けることができるので、筐体４の堅牢性をさらに向上させることができる。
【００５４】
（第３実施形態）  
次に、図６乃至図９を参照して、第３実施形態に係る電子機器３１について説明する。なお、第１及び第２実施形態の構成と同一または類似の機能を有する構成は、同一の符号を付してその説明を省略する。また、下記に説明する以外の構成は、第１実施形態と同じである。なお、第１実施形態における「テレビジョン受像機」との表現は、「電子機器」と読み替える。
【００５５】
図６に示すように、本実施形態に係る電子機器３１は、例えばスレート型ポータブルコンピュータ（スレートＰＣ、タブレット）である。なお、本明細書で説明される全ての実施形態及び変形例に係る構造が適用可能な電子機器は、上記例に限られない。本明細書で説明される全ての実施形態及び変形例は、例えばノート型ポータブルコンピュータ（ノートＰＣ）や、テレビジョン受像機、携帯電話（スマートフォンを含む）、ゲーム機など種々の電子機器に広く適用可能である。
【００５６】
図６に示すように、電子機器３１は、扁平な箱状の筐体４を有する。筐体４には、第１実施形態と同様に、表示部５が取り付けられている（収容されている）。図７及び図８に示すように、筐体４内には、バッテリ３２（セル、電池）、回路基板３３（プリント基板、制御基板、基板）が収容されている。
【００５７】
図７に示すように、本実施形態では、バッテリ３２は、複数のセル３２ａ，３２ｂ，３２ｃと、回路基板３２ｄとを有する。複数のセル３２ａ，３２ｂ，３２ｃは、電気的には直列または並列に接続される。各セル３２ａ，３２ｂ，３２ｃの電極は、回路基板３２ｄに電気的に接続されている。このように、複数のセル３２ａ，３２ｂ，３２ｃが一体化されることで、セル３２ａ，３２ｂ，３２ｃをそれぞれ組み付ける場合に比べて、製造の手間およびコストが低減される。
【００５８】
各セル３２ａ，３２ｂ，３２ｃは、其々、電解質（電解液）や、電極、セパレータ等が収容（封入）された室（収容部）が設けられて独立した単電池である。これらセル３２ａ，３２ｂ，３２ｃは、いずれも、筐体４の厚さ方向に薄い偏平な直方体状（板状、角板状、カード状）に構成されている。
【００５９】
本実施形態では、セル３２ａ，３２ｂ，３２ｃの最外層は、絶縁性かつ可撓性を有したシート状の外皮（皮、膜）であり、硬質なケース（シェル）は設けられていない。本実施形態によれば、ケースを有しない分、バッテリ３２（セル３２ａ，３２ｂ，３２ｃ）がより小型に（薄く）かつより軽量に構成されやすくなる。これにより、筐体４（電子機器３１）の小型化、薄型化、軽量化を図ることができる。
【００６０】
回路基板３３は、ＣＰＵ（central processing unit）等の複数の部品３４（部品、素子、電子部品、電気部品）が実装されている。部品３４には、発熱体が含まれる。図７に示すように、バッテリ３２及び回路基板３３は、筐体４の厚さ方向には重ならず、筐体４の背壁１２に沿って位置されている。このため、バッテリ３２と回路基板３３とが筐体４の厚さ方向に重なる場合に比べて、筐体４の薄型化を図ることができる。
【００６１】
図７に示すように、筐体４には、さらに、カメラ３９ａ（カメラモジュール、カメラユニット、カメラアセンブリ、撮像装置）、スピーカ３９ｂ（スピーカモジュール、スピーカユニット、スピーカアセンブリ、音声出力装置）、コネクタ３９ｃ（コネクタモジュール、コネクタユニット、コネクタアセンブリ、コネクタ装置）、アンテナ３９ｄ（アンテナモジュール、アンテナユニット、アンテナアセンブリ、アンテナ装置）、バイブレータ３９ｅ（振動発生部）が収容されている。バイブレータ３９ｅの一例は、回転シャフトに偏心錘が取り付けられたモータである。
【００６２】
図８に示すように、回路基板３３には、放熱部３９ｆが取り付けられている。放熱部３９ｆの一例は、熱伝導性の高い材料（例えば、アルミニウム合金等の金属材料）で構成された板材である。放熱部３９ｆと部品３４との間には、熱伝導性シート設けられる。これにより、部品３４からの熱の一部は、放熱部３９ｆで拡散される。
【００６３】
図９に示すように、本実施形態に係る筐体４は、第１実施形態と同様に、フロントマスク２１と、リアカバー２２とを有する。フロントマスク２１は、例えば外部載置面Ｓ（載置面、設置面）に接し、外部載置面Ｓによって支持される。外部載置面Ｓは、「外部支持部」の一例である。
【００６４】
図９に示すように、支持部２４は、第１面３５ａ、第２面３５ｂ、及び第３面３５ｃを有する。第１面３５ａ及び第２面３５ｂは、ディスプレイ６の前面６ａと略平行である。第１面３５ａは、筐体４の外側（前側）に向いている。第１面３５ａは、パネル７の周端部の背面７ｂに面する。
【００６５】
第２面３５ｂは、第１面３５ａとは反対側に位置する。第２面３５ｂは、筐体４の内部に向いている。第２面３５ｂは、リアカバー２２に面する。第３面３５ｃは、第１面３５ａと第２面３５ｂとは交差した方向（例えば略直交した方向）に延びている。第３面３５ｃは、筐体４の厚さ方向に延びている。第３面３５ｃは、第１面３５ａと第２面３５ｂとに亘る。第３面３５ｃは、ディスプレイ６の側面６ｃに面する。第３面３５ｃは、第２開口部２５を規定する。
【００６６】
本実施形態では、パネル７は、支持部２４の第１面３５ｃに固定されている。パネル７と支持部２４の第１面３５ａとの間には、第１接着部３６（第１接着層）が設けられている。第１接着部３６は、例えば両面テープである。第１実施形態と同様に、ディスプレイ６は、パネル７の背面７ｂに固定されている。ディスプレイ６とパネル７との間には、第２接着部３７（第２接着層）が設けられている。第２接着部３７は、例えば透光性（透明）の両面テープ（ＯＣＡ，Optical Clear Adhesion）である。
【００６７】
第１及び第２接着部３６，３７の厚さは、其々、例えば約０．１５ｍｍである。第１及び第２接着部３６，３７の厚さは、互いに略同じである。これにより、ディスプレイ６は、第２開口部２５の内側に位置する。
【００６８】
本実施形態に係るディスプレイ６は、例えば非常に薄いシートディスプレイである。ディスプレイ６の一例は、プラスチック基板を用いたプラスチック有機ＥＬであり、柔軟性（可撓性）を有する。ディスプレイ６の厚さＴ２の一例は、約０．２５ｍｍであるが、これに限定されるものではない。
【００６９】
フロントマスク２１は、例えば樹脂製または金属製である。樹脂製または金属製のフロントマスク２１は、例えば射出成型、ダイカスト、または削り出しによって製造される。これらの製造方法では、支持部２４の厚さＴ１の薄型化に限界があり、支持部２４の厚さＴ１を例えば約０．４ｍｍよりも薄くすることは困難である。また、支持部２４の強度を確保するためには、一定以上の厚さが必要である。
【００７０】
このため、本実施形態では、支持部２４の厚さＴ１は、ディスプレイ６の厚さＴ２よりも厚い。そのため、支持部２４は、第１実施形態と同様に、ディスプレイ６の側面６ｃに面した第１部分２４ａ（第１領域）と、ディスプレイ６の背面６ｂよりもリアカバー２２側に位置した第２部分２４ｂ（第２領域）とを有する。
【００７１】
すなわち、第１部分２４ａは、側壁１３の内面１３ａから、ディスプレイ６の側面６ｃに向いて突出している。第１部分２４ａは、ディスプレイ６の側面６ｃに面する。第２部分２４ｂは、第１部分２４ａから、ディスプレイ６の背面６ｂよりもリアカバー２２側に突出している。第２部分２４ｂは、ディスプレイ６の背面６ｂよりも、リアカバー２２に近い。ディスプレイ６は、第２開口部２５に挿入され（収容され）、第２開口部２５の内側に位置する。ディスプレイ６は、支持部２４の厚さＴ１内に収まっている。
【００７２】
図９に示すように、ディスプレイ６は、表示画面８を含む表示体３８ａ（表示部本体、パネル部、シート部）と、該表示体３８ａを駆動する回路基板３８ｂ（駆動基板、制御基板、基板）とを有する。表示体３８ａは、シート状であり、ディスプレイ６の前面６ａ、背面６ｃ、及び側面６ｃを構成する。本実施形態では、回路基板３８ｂは、表示体３８ａから離れて、支持部２４とリアカバー２２との間に位置する。回路基板３８ｂは、支持部２４の第２面３５ｂに取り付けられている。回路基板３８ｂは、例えばフレキシブル配線板によって、表示体３８ａに電気的に接続されている。
【００７３】
なお、回路基板３８ｂは、支持部２４の第１面３５ａまたは第３面３５ｃ、若しくはその他の場所に取り付けられてもよい。回路基板３８ｂは、例えば筐体４の側壁１３や背壁１２、または筐体４内に実装される各種部品や補強部材に取り付けられてもよい。回路基板３８ｂは、筐体４内に実装される回路基板３３（例えばメイン基板、メイン回路基板）に組み込まれてもよい。
【００７４】
本実施形態の一つの変形例では、図９中に２点鎖線で示すように、回路基板３８ｂは、表示体３８ａの背面（ディスプレイ６の背面６ｂ）に取り付けられる。回路基板３８ｂの少なくとも一部は、第２開口部２５に挿入され、第２開口部２５の内側に位置する。
【００７５】
次に、図１０乃至図１７を参照して、本実施形態に係るフロントマスク２１とリアカバー２２の接続構造（係り構造、連結構造）の一例について説明する。なお、本接続構造は、本実施形態に限らず、本明細書に記載の全ての実施形態及び変形例に適用可能である。
【００７６】
図１０に示すように、リアカバー２２は、突出部３ｔ（突起）を有する。突出部３ｔは、背壁１２から側壁１３の内面１３ａに沿って突出している。図１１に示すように、突出部３ｔには、係部３１ａ（第一係部）が設けられている。図１２に示すように、フロントマスク２１の側壁１３には、係部３１ｂ（第二係部）が設けられている。係部３１ａと係部３１ｂとは、筐体４の厚さ方向に係わる。本実施形態では、一例として、係部３１ａは貫通孔であり、係部３１ｂは爪部（突出部、突起）である。これら係部３１ａと係部３１ｂとの係わりによって、フロントマスク２１とリアカバー２２とが結合されている。このように、本実施形態では、一例として、比較的簡素な構成によって、フロントマスク２１とリアカバー２２とが結合されている。
【００７７】
また、図１１に示すように、リアカバー２２は、突出部３ｕ（第一突出部）を有する。突出部３ｕは、背壁１２から側壁１３の内面１３ａに沿って突出している。突出部３ｕの筐体内側には、リブ３ｖ（突出部）が設けられている。
【００７８】
また、図１２に示すように、フロントマスク２１は、突出部３ｗ（第二突出部、壁部）を有する。突出部３ｗは、組み立てられた状態で突出部３ｕを側壁１３との間に挟むように、前壁１１から背壁１２に向けて突出している。すなわち、突出部３ｗは、側壁１３との間に突出部３ｕを受け容れ可能な隙間（一例としては突出部３ｕの厚さより僅かに広い隙間）をもって突出している。
【００７９】
さらに、フロントマスク２１は、筐体４の厚さ方向とは交差した方向（例えば側壁１３に沿う方向）で突出部３ｕに係わるように前壁１１から背壁１２に向けて突出した二つの突出部３ｘ（第三突出部、壁部）を有する。すなわち、二つの突出部３ｘは、それらの間に突出部３ｕを受け容れ可能な隙間（一例としては突出部３ｕの幅より僅かに広い隙間）をもって突出している。
【００８０】
本実施形態では、一例として、フロントマスク２１とリアカバー２２とが組み立てられた状態では、突出部３ｕは、側壁１３と突出部３ｗとの間に挟まれるとともに、側壁１３と突出部３ｗとに挟まれる方向とは異なる方向で二つの突出部３ｘによって挟まれる。
【００８１】
図１２に示すように、突出部３ｗ，３ｘ（壁部）は、互いにＣ字状に接続されるとともに、さらに側壁１３に接続されている。すなわち、側壁１３および突出部３ｗ，３ｘによって、筒状（角筒状、環状）の収容部が設けられている。
【００８２】
このような構成により、本実施形態では、一例として、リアカバー２２の突出部３ｕは、フロントマスク２１に対して、側壁１３の厚さ方向や側壁１３に沿う方向の移動が抑制される。このため、本実施形態によれば、一例としては外力等によってフロントマスク２１とリアカバー２２とが互いに接触する縁部で離間するのが、比較的簡素な構成によって抑制されやすい。なお、突出部３ｗには、組み立てられた状態で、リブ３ｖを受け容れる切欠部３ｙ（凹部）が設けられている。よって、突出部３ｗのうち切欠部３ｙの縁部も、突出部３ｘと同様に、第三突出部として機能する。
【００８３】
また、本実施形態では、一例として、図１３及び図１４に示すように、筐体４の例えば４つの角部３ｊにも、突出部３ｕ（第一突出部）、リブ３ｖ、突出部３ｗ（第二突出部）、及び突出部３ｘ（第三突出部）が設けられている。このため、本実施形態によれば、一例としては、筐体４の角部３ｊにおいて、フロントマスク２１とリアカバー２２とが離間しにくい。
【００８４】
また、本実施形態では、一例として、図１３に示すように、背壁１２は、該背壁１２から前壁１１に向けて突出した壁部３０ｅを有する。突出部３ｕは、背壁１２の角部３ｊの縁部に沿って弧状に曲がった状態で壁部３０ｅに接続されている。よって、本実施形態によれば、一例としては、突出部３ｕの剛性および強度がより高まりやすい。また、壁部３０ｅに対して背壁１２の中心側、すなわち、角部３ｊあるいは背壁１２の端部に対して隙間をあけた位置に、壁部３０ｅと並行して弧状に曲がって延びて前壁１１に向けて突出した突出部３０ｆが設けられている。
【００８５】
さらに、背壁１２には、突出部３０ｆ（リブ、第一リブ）と壁部３０ｅとに亘る突出部３０ｇ（リブ、第二リブ）が設けられている。このため、本実施形態によれば、一例としては、電子機器３１の落下時等に他の部分に比べて外力が作用しやすい角部３ｊにおいて、突出部３ｕの剛性及び強度がより高まりやすい。
【００８６】
本実施形態では、一例として、図１５に示すように、リアカバー２１には、該リアカバー２１の端部に沿って、コネクタ３９ｃａ〜３９ｃｄが並べられている。図１６に示すように、側壁１３には、コネクタ３９ｃａ〜３９ｃｄを筐体４外に露出させる開口部３０ｈ〜３０ｋが、貫通孔として設けられている。このため、本実施形態によれば、一例としては、開口部３０ｈ〜３０ｋが切欠等として設けられた場合に比べて、側壁１３の剛性および強度が高まりやすい。
【００８７】
また、図１５において、コネクタ３９ｃａは、カードが着脱可能に装着（接続、保持）されるカード用のコネクタである。コネクタ３９ｃｂ〜３９ｃｄは、別のコネクタが着脱可能に装着（接続、保持）されるコネクタである。コネクタ３９ｃｂ，３９ｃｃ等の端子（突起、支持部、脚部、突出部）は、基板３３の厚さ方向には貫通せず、厚さ方向の途中までの長さを有する。
【００８８】
このため、コネクタ３９ｃｂ，３９ｃｃ等の端子が基板３３と背壁１２との接着（密着）を阻害するのが抑制される。また、コネクタ３９ｃｂ，３９ｃｃ等（の開口部）の基板３３からの高さを適宜に設定することで、コネクタ３９ｃｂ，３９ｃｃ等と側壁１３の中間位置に設けられた部材３２ｃとが、側壁１３に沿う方向に並べる（近付けて配置する）ことができる。
【００８９】
また、コネクタ３９ｃａとコネクタ３９ｃｂとの間、並びにコネクタ３９ｃｃとコネクタ３９ｃｄとの間には、突出部３ｔが設けられている。この突出部３ｔには、係部３１ａが設けられている。貫通孔としての係部３１ａは、開口面積が開放側（出口側、開口端側）に向かうにつれて拡がっている。すなわち、係部３１ａは、出口側の端部に向かうにつれて、貫通孔の中心線から遠ざかる側面（内面、内周面、筒内面）を有している。
【００９０】
また、本実施形態では、一例として、図１７に示されるように、フロントマスク２１の側壁１３には、該フロントマスク２１の端部に沿って延びた部材３０ｍが設けられている。部材３０ｍは、フロントマスク２１より硬い材質（一例としては金属材料）で構成されている。このため、本実施形態によれば、一例としては、側壁１３の剛性および強度がより高まりやすい。
【００９１】
なお、図１７に例示された部材３０ｍは、スピーカモジュール３９ｂに面するとともに、開口部３０ｎが設けられている。この開口部３０ｎにより、スピーカモジュール３９ｂの音が筐体４の外に出やすくなる。すなわち、部材３０ｍは、スピーカモジュール３９ｂのカバーの一例である。また、フロントマスク２１の前壁１１には、スピーカモジュール３９ｂが収容される切欠部３０ｐが設けられている。
【００９２】
このため、本実施形態によれば、一例としては、切欠部３０ｐによって当該切欠部３０ｐが設けられていない部分に比べて剛性あるいは強度が低くなった部分を、部材３０ｍによって補強することができる。
【００９３】
次に、図１８を参照して、変形例に係る筐体４を説明する。図１８に示すように、本変形例では、フロントマスク２１の前壁１１は、パネル７の前面７ａよりも突出している。この場合、突出した前壁１１によって、パネル７やディスプレイ６が保護されやすい。また、本変形例及び上記実施形態のいずれにおいても、図１８に示すように、リアカバー２２の側面２２ｃは、フロントマスク２１によって覆われなくてもよい。
【００９４】
このような構成によれば、第１実施形態と同様に、放熱性の向上及びディスプレイ６の保護を図ることができる。さらに、ディスプレイ６よりも厚い支持部２４を設けることで、ディスプレイ６の周囲で筐体４の堅牢性の向上を図ることができる。
【００９５】
本実施形態では、ディスプレイ６は、非常に薄くて柔軟性を有するため、表示体３８ａの背面に回路基板３８ｂを貼り付けにくい。このため、回路基板３８ｂが表示体３８ａから離され、支持部２４とリアカバー２２との間に設けられると、電子機器３１の組立性が良くなる。
【００９６】
（第４実施形態）  
次に、図１９を参照して、第４実施形態に係る電子機器３１について説明する。なお、第１乃至第３実施形態の構成と同一または類似の機能を有する構成は、同一の符号を付してその説明を省略する。また、下記に説明する以外の構成は、第３実施形態と同じである。
【００９７】
図１９に示すように、本実施形態では、ディスプレイ６は、支持部２４に乗り上げている。つまり、ディスプレイ６は、支持部２４よりも前側に位置する。支持部２４は、ディスプレイ６の背後に回り込み、ディスプレイ６の背面６ｂに面する。
【００９８】
詳しく述べると、支持部２４は、パネル７と第１接着部３６とディスプレイ６とを合わせた厚さよりも大きな距離で、前壁１１の表面から離れた位置に設けられている。支持部２４は、ディスプレイ６の背面６ｂと略平行な方向で、側壁１３の内面から筐体４の内側に突出している。支持部２４は、ディスプレイ６の背面６ｂとリアカバー２２との間に位置する。支持部２４の第１面３５ｂは、ディスプレイ６の背面６ｂに面する。換言すれば、ディスプレイ６の周端部は、パネル７と支持部２４との間に位置する。
【００９９】
本実施形態では、支持部２４は、ディスプレイ６の背面６ｂを支持する。なお、「表示部の背面を支持する」とは、支持部２４がディスプレイ６の背面６ｂに常に接して支持する場合に限定されない。「表示部の背面を支持する」とは、通常状態では支持部２４とディスプレイ６との間に隙間が存在するとともに、例えばディスプレイ６が押されて撓むときに、支持部２４がディスプレイ６に接してディスプレイ６を支持する場合も含む。
【０１００】
このような構成によれば、第１実施形態と同様に、放熱性の向上及びディスプレイ６の保護を図ることができる。さらに本実施形態では、支持部２４は、ディスプレイ６の背面６ｂに面する。このような構成によれば、支持部２４によってディスプレイ６の背面６ｂを支持することができ、ディスプレイ６のさらなる保護を図ることができる。また、柔軟性のディスプレイ６を採用した場合でも、ディスプレイ６の撓みを抑制することができ、ユーザの利便性の向上を図ることができる。
【０１０１】
なお、本実施形態では、支持部２４は、ディスプレイ６の背面６ｂとリアカバー２２との間に位置する。このような支持部２４であれば、ディスプレイ６の外形の大きさに関わらず、支持部２４を比較的大きく設けることができる。このため、支持部２４によって、ディスプレイ６を比較的強く支持することができるとともに、筐体４の堅牢性の向上を図ることができる。さらに本実施形態では、支持部２４の大きさに影響されずに、ディスプレイ６の外形を大きくすることができる。これにより、狭額縁の電子機器３１を提供することができる。
【０１０２】
（第５実施形態）  
次に、図２０を参照して、第５実施形態に係る電子機器３１について説明する。なお、第１乃至第４実施形態の構成と同一または類似の機能を有する構成は、同一の符号を付してその説明を省略する。また、下記に説明する以外の構成は、第３実施形態と同じである。
【０１０３】
図２０に示すように、本実施形態では、支持部２４は、第１部分２４ａと、第２部分２４ｂとを有する。第１部分２４ａは、パネル７の背面７ｂを支持する。また、第１部分２４ａは、ディスプレイ６の側面６ｃに面する。第２部分２４ｂは、第１部分２４ａの後方（下方）に位置するとともに、第１部分２４ａよりも筐体４の内側（中央側）に突出している。第２部分２４ｂは、ディスプレイ６の背面６ｂとリアカバー２２との間に位置し、ディスプレイ６の背面６ｂに面する。
【０１０４】
第１部分２４ａと第２部分２４ｂとの間には、段差部２４ｃが設けられている。ディスプレイ６の背面６ｂは、段差部２４ｃに面する。ディスプレイ６と段差部２４ｃとの間には、弾性部材４１（弾性部、緩衝部、緩衝材）が設けられている。弾性部材４１は、ディスプレイ６の側面６ｃと支持部２４との間に位置した第１部分と、ディスプレイ６の背面６ｂと支持部２４との間に位置した第２部分とを有する。弾性部材４１は、例えばＴＰＵ（熱可塑性ポリウレタン樹脂）のようなゴムやエラストマーである。
【０１０５】
このような構成によれば、第１実施形態と同様に、放熱性の向上及びディスプレイ６の保護を図ることができる。さらに本実施形態では、支持部２４は、ディスプレイ６の背面６ｂに面する。このような構成によれば、支持部２４と弾性部材４１によってディスプレイ６の背面６ｂを支持することができ、ディスプレイ６のさらなる保護及び撓みの抑制を図ることができる。
【０１０６】
本実施形態では、支持部２４とディスプレイ６との間に弾性部材４１が設けられている。このような弾性部材４１が設けられると、この弾性部材４１によってユーザからの押圧力の一部を吸収することができ、ディスプレイ６の保護及び撓みの抑制をさらに図ることができる。
【０１０７】
（第６実施形態）  
次に、図２１を参照して、第６実施形態に係る電子機器３１について説明する。なお、第１乃至第５実施形態の構成と同一または類似の機能を有する構成は、同一の符号を付してその説明を省略する。また、下記に説明する以外の構成は、第３実施形態と同じである。
【０１０８】
図２１に示すように、本実施形態に係るバッテリ３２（部品、部材、機能部品）は、セル３２ａが収容されたバッテリケース４２（ケース、外装部材、保護部、保護部材、支持部材、バッテリシャーシ、部材、部品）を有する。バッテリケース４２は、比較的大きな強度を有する。バッテリ３２は、ディスプレイ６とリアカバー２２との間に収容されている。本実施形態では、バッテリケース４２の少なくとも一部は、第２開口部２５に挿入されている。
【０１０９】
図２１に示すように、バッテリケース４２の少なくとも一部は、第２開口部２５の内側に位置し、ディスプレイ６の背面６ｂに面する。バッテリケース４２は、ディスプレイ６の背面６ｂを支持する。バッテリケース４２は、第２開口部２５に位置してディスプレイ６を支持する「支持部（支持部材、補強部、補強部材）」の一例である。
【０１１０】
なお、「表示部の背面を支持する」とは、バッテリケース４２がディスプレイ６の背面６ｂに常に接して支持する場合に限定されない。「表示部の背面を支持する」とは、通常状態ではバッテリケース４２とディスプレイ６との間に隙間が存在するとともに、例えばディスプレイ６が押されて撓むときに、バッテリケース４２がディスプレイ６に接してディスプレイ６を支持する場合も含む。本実施形態では、バッテリケース４２とディスプレイ６との間に、インシュレータ４３（絶縁部）が設けられている。
【０１１１】
本実施形態では、バッテリケース４２は、例えば、セル３２ａを覆う第１部分４２ａと、第１部分４２ａから延長された第２部分４２ｂとを有する。第１部分４２ａは、セル３２ａとディスプレイ６との間に位置する。第２部分４２ｂは、第１部分４２ａから筐体４の側壁１３に向いて延びた延長部（リブ）である。第２部分４２ｂは、例えば他の部品２７（例えば回路基板３３）とディスプレイ６との間に位置する。本実施形態では、第１部分４２ａ及び第２部分４２ｂは、其々、第２開口部２５の内側に位置した部分を含む。なお、第１部分４２ａ及び第２部分４２ｂのいずれか一方は、省略されてもよい。
【０１１２】
このような構成によれば、バッテリケース４２（支持部）によってディスプレイ６の背面６ｂを支持することができ、ディスプレイ６の保護及び撓みの抑制、並びに筐体４の堅牢性の向上を図ることができる。なお、バッテリケース４２に延長部（第２部分４２ｂ）が設けられていると、より広い面積でディスプレイ６を支持することができ、ディスプレイ６の保護及び撓みの抑制、並びに筐体４の堅牢性の向上をさらに図ることができる。
【０１１３】
（第７実施形態）  
次に、図２２を参照して、第７実施形態に係る電子機器３１について説明する。なお、第１乃至第６実施形態の構成と同一または類似の機能を有する構成は、同一の符号を付してその説明を省略する。また、下記に説明する以外の構成は、第３実施形態と同じである。
【０１１４】
図２２に示すように、本実施形態では、パネル７の周端部と支持部２４との間に、弾性部材４１（弾性部、緩衝部、緩衝材）が設けられている。弾性部材４１は、側壁１３の内面１３ａとパネル７の側面７ｃとの間に位置した第１部分と、支持部２４の第１面３５ａとパネル７の背面７ｂとの間に位置した第２部分とを有する。
【０１１５】
このような構成によれば、第１実施形態と同様に、放熱性の向上及びディスプレイ６の保護を図ることができる。さらに本実施形態では、弾性部材４１によってパネル７の背面７ｂを支持することができ、ディスプレイ６の保護及び撓みの抑制を図ることができる。
【０１１６】
（第８実施形態）  
次に、図２３を参照して、第８実施形態に係る電子機器３１について説明する。なお、第１乃至第７実施形態の構成と同一または類似の機能を有する構成は、同一の符号を付してその説明を省略する。また、下記に説明する以外の構成は、第３実施形態と同じである。
【０１１７】
図２３に示すように、本実施形態に係る支持部２４は、環状（枠状）に設けられるとともに、一部の厚さが異なる。つまり、支持部２４は、第１厚さＳ１を有した第１部分４４ａ（第１領域）と、第１厚さよりも薄い第２厚さＳ２を有した第２部分４４ｂ（第２領域）とを有する。第２部分４４ｂには、回路基板３８ｂまたはその他の部品が取り付けられる。
【０１１８】
このような構成によれば、第１実施形態と同様に、放熱性の向上及びディスプレイ６の保護を図ることができる。さらに本実施形態では、支持部２４の一部を薄く形成するとともに、この薄く形成された領域に部品が取り付けられる。これにより、筐体４（電子機器３１）の厚さを薄くすることができる。一方で、支持部２４の一部を厚く形成することで、必要な場所に筐体４の強度を持たせることができる。これは、筐体４の堅牢性の向上に寄与する。
【０１１９】
（第９実施形態）  
次に、図２４を参照して、第９実施形態に係る電子機器３１について説明する。なお、第１乃至第８実施形態の構成と同一または類似の機能を有する構成は、同一の符号を付してその説明を省略する。また、下記に説明する以外の構成は、第３実施形態と同じである。
【０１２０】
図２４に示すように、本実施形態では、バッテリ３２（機能部品、部品、部材）は、ディスプレイ６に対してずれた位置に設けられている。つまり、バッテリ３２の中央部と、ディスプレイ６の中央部とは、筐体４の厚さ方向で重ならない。ディスプレイ６の中央部は、筐体４の中央部と略一致する。
【０１２１】
筐体４の側壁１３は、第１側壁部４６ａ（第１部分）と、第２側壁部４６ｂ（第２部分）とを有する。第２側壁部４６ｂは、第１側壁部４６ａとは反対側に位置する。第１側壁部４６ａと第２側壁部４６ｂとの間に、バッテリ３２が収容されている。バッテリ３２は、第１側壁部４６ａよりも、第２側壁部４６ｂの近くに寄って位置する。これにより、第１側壁部４６ａとバッテリ３２との間に、収容領域４７（収容部、収容空間、空間、領域）が設けられている。この収容領域４７には、例えば部品２７が設けられる。
【０１２２】
このような構成によれば、第１実施形態と同様に、放熱性の向上及びディスプレイ６の保護を図ることができる。さらに本実施形態では、ディスプレイ６に対してずれた位置にバッテリ３２が設けられ、筐体４内に実装面積が確保されている。これにより、高密度実装を図ることができる電子機器３１を提供することができる。
【０１２３】
（第１０実施形態）  
次に、図２５を参照して、第１０実施形態に係る電子機器３１について説明する。なお、第１乃至第９実施形態の構成と同一または類似の機能を有する構成は、同一の符号を付してその説明を省略する。また、下記に説明する以外の構成は、第３実施形態と同じである。
【０１２４】
本実施形態では、筐体４の前壁１１は、開口部１４が設けられている。ディスプレイ６は、開口部１４に位置し、筐体４の最外部に露出する。タッチセンサ４９（タッチパネル）は、前壁１１の内面に取り付けられ、ディスプレイ６の背面６ｂに面する。ディスプレイ６は、接着部３６でタッチセンサ４９に取り付けられている。なお、本実施形態では、接着部３６は、透光性がなくてもよい。タッチセンサ４９は、筐体４に支持されるとともに、ディスプレイ６を支持する。
【０１２５】
このような構成によれば、タッチセンサ４９によってディスプレイ６の背面６ｂを支持することができ、ディスプレイ６の保護を図ることができる。さらに本実施形態によれば、ディスプレイ６がユーザ側に近くなるため、画面の視認性が良くなる。つまり、ディスプレイ６の前方にパネル７が存在しないため、界面反射が減り、画面の輝度が向上する。さらに、ディスプレイ６の前面６ａとパネル７との間に気泡が入るおそれが無くなり、製品歩留まりの向上を図ることができる。
【０１２６】
（第１１実施形態）  
次に、図２６乃至図２９を参照して、第１１実施形態に係る電子機器３１について説明する。なお、第１乃至第１０実施形態の構成と同一または類似の機能を有する構成は、同一の符号を付してその説明を省略する。また、下記に説明する以外の構成は、第３実施形態と同じである。
【０１２７】
図２６に示すように、本実施形態に係る支持部２４は、例えばパネル７に接続されたフレキシブル配線板の取出部５１が設けられている。図２７に示すように、取出部５１の一例は、支持部２４に設けられた切欠き部である。図２８は、取出部５１の第１変形例を示す。図２８に示すように、取出部５１は、支持部２４に設けられた開口部（貫通孔、孔、穴）でもよい。
【０１２８】
図２９は、取出部５１の第２変形例を示す。図２９に示すように、支持部２４は、第１部分５２ａと、該第１部分５２ａよりも薄い第２部分５２ｂとを有する。取出部５１は、第２部分５２ｂに設けられた開口部（貫通孔、孔、穴）である。フレキシブル配線板の少なくとも一部は、第１部分５２ａと第２部分５２ｂとの段差の厚さ内に位置する。つまり、第１部分５２ａと第２部分５２ｂとの間に段差が設けられることで、フレキシブル配線板の厚みを相殺することができる。
【０１２９】
このような構成によれば、第１実施形態と同様に、放熱性の向上及びディスプレイ６の保護を図ることができる。さらに本実施形態では、取出部５１の形状によって、支持部２４に剛性を持たせることができる。例えば、フレキシブル配線板が通される部分に切欠き部や開口部を設けることで、支持部２４をさらに筐体４の内側（中央側）に延ばすことができる。これにより、筐体４の堅牢性を高めることができる。
【０１３０】
（第１２実施形態）  
次に、図３０及び図３１を参照して、第１２実施形態に係る電子機器３１について説明する。なお、第１乃至第１１実施形態の構成と同一または類似の機能を有する構成は、同一の符号を付してその説明を省略する。また、下記に説明する以外の構成は、第３実施形態と同じである。
【０１３１】
図３０に示すように、リアカバー２２は、第１領域５４ａ（第１部分、第１部材）、第２領域５４ｂ（第２部分、第２部材）、第３領域５４ｃ（第３部分、第３部材）を有する。第１乃至第３領域５４ａ，５４ｂ，５４ｃは、プラスチック製または金属製であり、剛性を有する。
【０１３２】
第１乃至第３領域５４ａ，５４ｂ，５４ｃの間には、第１弾性部５５（曲げ部、可撓部、柔軟部）が設けられている。第１弾性部５５は、例えばゴムまたはエラストマーである。これにより、第１乃至第３領域５４ａ，５４ｂ，５４ｃは、互いに折れ曲がることができる。
【０１３３】
フロントマスク２１は、リアカバー２２に対応して、第１領域５６ａ（第１部分、第１部材）、第２領域５６ｂ（第２部分、第２部材）、第３領域５６ｃ（第３部分、第３部材）を有する。第１乃至第３領域５６ａ，５６ｂ，５６ｃは、プラスチック製または金属製であり、剛性を有する。
【０１３４】
第１乃至第３領域５６ａ，５６ｂ，５６ｃの間には、第２弾性部５７（曲げ部、可撓部、柔軟部）が設けられている。第２弾性部５７は、第１弾性部５５に対応した位置に設けられている。第２弾性部５７は、例えばゴムまたはエラストマーである。これにより、第１乃至第３領域５６ａ，５６ｂ，５６ｃは、互いに折れ曲がることができる。
【０１３５】
パネル７は、例えばプラスチックのような弾性部材（可撓部材、柔軟部材）で構成されている。ディスプレイ６は、柔軟性を有したシートディスプレイである。つまり、表示部５は、柔軟性を有する。筐体４（電子機器３１）は、第１弾性部５５及び第２弾性部５７を中心として、折れ曲がったり変形したりすることができる。
【０１３６】
図３１に示すように、筐体４には、回路基板３３及びバッテリ３２が設けられている。回路基板３３は、リアカバー２２の第１領域５４ａ内に取り付けられている。バッテリ３２は、第１セル３２ａ、第２セル３２ｂ、及び第３セル３２ｃを有する。第１セル３２ａは、リアカバー２２の第１領域５４ａ内に取り付けられている。第２セル３２ｂは、リアカバー２２の第２領域５４ｂ内に取り付けられている。第３セル３２ｃは、リアカバー２２の第３領域５４ｃ内に取り付けられている。
【０１３７】
つまり、いずれの回路基板３３及びセル３２ａ，３２ｂ，３２ｃも、リアカバー２２の複数の領域５４ａ，５４ｂ，５４ｃに亘っていない。セル５４ａ，５４ｂ，５４ｃの間は、ケーブル５８またはフレキシブル配線板で互いに電気的に接続される。
【０１３８】
このような構成によれば、曲げ可能な電子機器３１を提供することができる。本実施形態では、リアカバー２２の複数の領域５４ａ，５４ｂ，５４ｃ（部材）の間に弾性部５５が設けられ、曲げが促進される部分が設けられている。一方で、回路基板３３やセル３２ａ，３２ｂ，３２ｃは、曲がりにくい第１乃至第３領域５４ａ，５４ｂ，５４ｃに分割して配置されている。これにより、回路基板３３やセル３２ａ，３２ｂ、３２ｃの保護を図ることができる。
【０１３９】
（第１３実施形態）  
次に、図３２を参照して、第１３実施形態に係る電子機器３１について説明する。なお、第１乃至第１２実施形態の構成と同一または類似の機能を有する構成は、同一の符号を付してその説明を省略する。また、下記に説明する以外の構成は、第３実施形態と同じである。
【０１４０】
図３２に示すように、本実施形態では、筐体４内に設けられた支持部材６１と、支持部材６１に支持されたスイッチ６２とを有する。スイッチ６２は、部品（電子部品、機能部品）の一例である。スイッチ６２の少なくとも一部は、第２開口部２５に挿入され、第２開口部２５の内側に位置する。スイッチ６２は、ディスプレイ６の背面６ｂに面する。
【０１４１】
本実施形態では、表示部５は、柔軟性（可撓性）を有する。さらに筐体４は、例えばプラスチック製であり、柔軟性（可撓性）を有してもよい。パネル７（ディスプレイ６）を押すと、パネル７及びディスプレイ６が変形し（撓み）、ディスプレイ６の背面６ｂがスイッチ６２に接する。スイッチ６２は、ディスプレイ６の背面６ｂによって操作される。なお、ディスプレイ６の表示画面８は、例えばスイッチ６２に対応した位置に、スイッチ６２を示す表示を表示してもよい。
【０１４２】
このような構成によれば、第１実施形態と同様に、放熱性の向上及びディスプレイ６の保護を図ることができる。さらに本実施形態では、第２開口部２５を利用してスイッチ６２が配置されている。これにより、ユーザの利便性の向上及び電子機器３１の高密度実装、薄型化、小型化を図ることができる。
【０１４３】
（第１４実施形態）  
次に、図３３を参照して、第１４実施形態に係る電子機器３１について説明する。なお、第１乃至第１３実施形態の構成と同一または類似の機能を有する構成は、同一の符号を付してその説明を省略する。また、下記に説明する以外の構成は、第３実施形態と同じである。
【０１４４】
本実施形態では、表示部５は、柔軟性（可撓性）を有する。さらに筐体４は、例えばプラスチック製であり、柔軟性（可撓性）を有してもよい。図３３に示すように、本実施形態では、筐体４内に設けられた支持部材６１と、支持部材６１に支持されたストッパ６４（曲げ規制部）とを有する。ストッパ６４は、部品（電子部品、機能部品）の一例である。ストッパ６４の少なくとも一部は、第２開口部２５に挿入され、第２開口部２５の内側に位置する。ストッパ６４は、ディスプレイ６の背面６ｂに面する。
【０１４５】
パネル７（ディスプレイ６）を押すと、パネル７及びディスプレイ６が変形する（撓む）。ディスプレイ６の曲げ角度が予め設定された所定値を超えると、ディスプレイ６の背面６ｂがストッパ６４に接するようにストッパ６４の高さや位置が調整されている。
【０１４６】
これにより、ディスプレイ６の曲げ角度が予め設定された所定値を超えると、ストッパ６４がディスプレイ６の背面６ｂを支持し、ディスプレイ６がそれ以上曲がることを抑制する。これにより、ディスプレイ６の保護を図ることができる。
【０１４７】
また、本実施形態に係るストッパ６４は、例えばメカニカルスイッチである。ストッパ６４がディスプレイ６の背面に接すると、スイッチであるストッパ６４が操作される。この操作を受けて、電子機器３１は、ユーザに注意を促す表示を表示画面８に表示してもよい。
【０１４８】
このような構成によれば、第１実施形態と同様に、放熱性の向上及びディスプレイ６の保護を図ることができる。さらに本実施形態では、ストッパ６４によってディスプレイ６が大きく曲がることが抑制され、ディスプレイ６のさらなる保護を図ることができる。
【０１４９】
（第１５実施形態）  
次に、図３４を参照して、第１５実施形態に係る電子機器３１について説明する。なお、第１乃至第１４実施形態の構成と同一または類似の機能を有する構成は、同一の符号を付してその説明を省略する。また、下記に説明する以外の構成は、第３実施形態と同じである。
【０１５０】
図３４に示すように、本実施形態では、筐体４（すなわちフロントマスク２１とリアカバー２２）は、金属製である。電子機器３１は、筐体４内に設けられた支持部材６１と、支持部材６１に支持されたアンテナ６６とを有する。アンテナ６６の少なくとも一部は、第２開口部２５に挿入され、第２開口部２５の内側に位置する。アンテナ６６は、ディスプレイ６の背面６ｂに面する。アンテナ６６は、表示部５を通過させて、電波を送受信する。アンテナ６６の一例は、近距離通信（ＮＦＣ：Near Field Communication）用のアンテナであり、その通信可能距離は、数ｃｍである。
【０１５１】
このような構成によれば、第１実施形態と同様に、放熱性の向上及びディスプレイ６の保護を図ることができる。さらに本実施形態では、第２開口部２５を利用してアンテナ６６が配置されている。これは、電子機器３１の高密度実装、薄型化、小型化に寄与する。
【０１５２】
（第１６実施形態）  
次に、図３５を参照して、第１６実施形態に係る電子機器３１について説明する。なお、第１乃至第１５実施形態の構成と同一または類似の機能を有する構成は、同一の符号を付してその説明を省略する。また、下記に説明する以外の構成は、第３実施形態と同じである。
【０１５３】
図３５に示すように、本実施形態では、表示画面８は、第１領域６８ａ、第２領域６８ｂ、及び第３領域６８ｃを有する。電子機器３１は、筐体４内に設けられた支持部材６１と、支持部材６１に支持されたバイブレータ（振動発生部）６９ａ，６９ｂ，６９ｃとを有する。各バイブレータ６９ａ，６９ｂ，６９ｃは、例えばピエゾ素子を用いたシートタイプのバイブレータであるが、モータタイプや、その他の種類のバイブレータでもよい。
【０１５４】
各バイブレータ６９ａ，６９ｂ，６９ｃの其々少なくとも一部は、第２開口部２５に挿入され、第２開口部２５の内側に位置する。バイブレータ６９ａ，６９ｂ，６９ｃは、ディスプレイ６の背面６ｂに面する。第１バイブレータ６９ａは、表示画面８の第１領域６８ａに対応して位置し、表示画面８の第１領域６８ａとリアカバー２２との間に位置する。第２バイブレータ６９ｂは、表示画面８の第２領域６８ｂに対応して位置し、表示画面８の第２領域６８ｂとリアカバー２２との間に位置する。第３バイブレータ６９ｃは、表示画面８の第３領域６８ｃに対応して位置し、表示画面８の第３領域６８ｃとリアカバー２２との間に位置する。
【０１５５】
このような構成に電子機器によれば、第１実施形態と同様に、放熱性の向上及びディスプレイ６の保護を図ることができる。さらに本実施形態では、第２開口部２５を利用してバイブレータ６９ａ，６９ｂ，６９ｃが配置される。これは、電子機器３１の高密度実装、小型化、薄型化に寄与する。さらに、表示画面８の各領域６８ａ，６８ｂ，６８ｃの其々に対応してバイブレータ６９ａ，６９ｂ，６９ｃを設けることで、より直感的な操作が可能になる。これは、ユーザの利便性の向上に寄与する。
【０１５６】
（第１７実施形態）  
次に、図３６を参照して、第１７実施形態に係る電子機器３１について説明する。なお、第１乃至第１６実施形態の構成と同一または類似の機能を有する構成は、同一の符号を付してその説明を省略する。また、下記に説明する以外の構成は、第３実施形態と同じである。
【０１５７】
図３６に示すように、本実施形態では、ディスプレイ６（第１表示部）は、例えば半透過型のディスプレイであり、ディスプレイ６の電源が切られた状態では背後が透けて見える。本実施形態では、電子機器３１は、筐体４内に設けられた支持部材６１と、支持部材６１に支持された表示部７０（第２表示部、機能部）とを有する。第２表示部７０は、例えば、特定の内容や機能または注意を表示するシールや、製品に関するマークやロゴであるが、これらに限定されるものではない。第２表示部７０は、例えば鏡でもよい。
【０１５８】
表示部７０の少なくとも一部は、第２開口部２５に挿入され、第２開口部２５の内側に位置する。第２ディスプレイ６は、ディスプレイ６の背面６ｂに面する。ディスプレイ６の電源が切られた状態では、ディスプレイ６を通して、表示部７０が外部から見える。
【０１５９】
このような構成によれば、第１実施形態と同様に、放熱性の向上及びディスプレイ６の保護を図ることができる。さらに本実施形態では、第２開口部２５を利用して表示部７０が配置されている。これは、電子機器３１の高密度実装、薄型化、小型化に寄与する。さらに、表示部７０によって、ユーザの利便性の向上を図ることができる。
【０１６０】
（第１８実施形態）  
次に、図３７を参照して、第１８実施形態に係る電子機器３１について説明する。なお、第１乃至第１７実施形態の構成と同一または類似の機能を有する構成は、同一の符号を付してその説明を省略する。また、下記に説明する以外の構成は、第３実施形態と同じである。
【０１６１】
図３７に示すように、本実施形態では、ディスプレイ６は、例えば半透過型のディスプレイであり、ディスプレイ６の電源が切られた状態で背後が透けて見える。本実施形態では、バッテリ３２は、例えばバッテリ３２の残量を示すインジケータ７１が設けられている。インジケータ７１は、ディスプレイ６の背面６ｂに面する。このため、ディスプレイ６の電源が切られた状態では、ディスプレイ６を通して、バッテリ３２のインジケータ７１が外部から見える。なお、インジケータ７１は、バッテリ３２に設けられるものに限らず、他の部品に設けられるものでもよい。
【０１６２】
このような構成によれば、第１実施形態と同様に、放熱性の向上及びディスプレイ６の保護を図ることができる。さらに本実施形態では、半透過型のディスプレイ６を利用して、バッテリ３２のインジケータ７１が外部から視認可能になる。これにより、ユーザの利便性の向上を図ることができる。
【０１６３】
（第１９実施形態）  
次に、図３８を参照して、第１９実施形態に係る電子機器３１について説明する。なお、第１乃至第１８実施形態の構成と同一または類似の機能を有する構成は、同一の符号を付してその説明を省略する。また、下記に説明する以外の構成は、第３実施形態と同じである。
【０１６４】
図３８に示すように、本実施形態では、バッテリ３２は、発熱部品の一例である。バッテリ３２には、放熱部７３（放熱部材）が設けられている。放熱部７３は、第２開口部２５に面する。放熱部７３は、第２開口部２５に向いて突出した複数の突起７３ａを有する。
【０１６５】
このような構成によれば、第１実施形態と同様に、放熱性の向上及びディスプレイ６の保護を図ることができる。さらに本実施形態では、第２開口部２５に向いて突出した突起７３ａを有した放熱部７３が設けられている。これにより、第２開口部２５によって設けられた隙間（空間）を利用して、電子機器３１の放熱性をさらに向上させることができる。
【０１６６】
（第２０実施形態）  
次に、図３９を参照して、第２０実施形態に係る電子機器３１について説明する。なお、第１乃至第１９実施形態の構成と同一または類似の機能を有する構成は、同一の符号を付してその説明を省略する。また、下記に説明する以外の構成は、第３実施形態と同じである。
【０１６７】
図３９に示すように、本実施形態では、電子機器３１は、第１タッチセンサ７５（第１センサ部、第１タッチパネル）と、第２タッチセンサ７６（第２センサ部、第２タッチパネル）とを有する。第１タッチセンサ７５は、例えば感圧式のタッチセンサである。第１タッチセンサ７５は、ディスプレイ６の前面６ａに面する。第１タッチセンサ７５は、第１開口部１４に位置し、筐体４の外部に露出されている。
【０１６８】
第２タッチセンサ７６は、例えば静電容量式のタッチセンサである。第２タッチセンサ７６の少なくとも一部は、第２開口部２５に挿入され、第２開口部２５の内側に位置する。第２タッチセンサ７６は、ディスプレイ６の背面６ｂに面する。
【０１６９】
このような構成によれば、第１実施形態と同様に、放熱性の向上及びディスプレイ６の保護を図ることができる。さらに本実施形態では、第２開口部２５を利用して第２タッチセンサ７６が配置されている。これは、電子機器３１の高密度実装、薄型化、小型化、ユーザの利便性の向上に寄与する。
【０１７０】
次に、図４０を参照して、第１乃至第２０の実施形態のいずれにも適用可能な表示部５のいくつかの変形例を示す。図４０（ａ）に係る表示部５は、ガラスパネル８１、タッチパネル８２、透光性接着部８３、偏光板８４、及び液晶ディスプレイ８５を有する。
【０１７１】
図４０（ｂ）に係る表示部５は、図４０（ａ）に係る表示部５のガラスパネル８１をプラスチックパネル９１に変更し、液晶ディスプレイ８５を有機ＥＬディスプレイ９２に変更したものである。つまり、図４０（ｂ）に係る表示部５は、プラスチックパネル９１、タッチパネル８２、透光性接着部８３、偏光板８４、及び有機ＥＬディスプレイ９２を有する。
【０１７２】
図４０（ｃ）に係る表示部５は、図４０（ａ）に係る表示部５のガラスパネル９１を無くしたものである。図４０（ｃ）に係る表示部５は、タッチセンサが設けられたプラスチックパネル９５、透光性接着部８３、偏光板８４、及び有機ＥＬディスプレイ９２を有する。
【０１７３】
図４０（ｄ）に係る表示部５は、図４０（ａ）に係る表示部５のガラスパネル９１を無くし、インセルタッチパネル形式を採用したものである。図４０（ｄ）に係る表示部５は、タッチセンサが設けられた有機ＥＬディスプレイ９６を有する。
【０１７４】
なお、本発明は上記実施形態そのままに限定されるものではなく、実施段階ではその要
旨を逸脱しない範囲で構成要素を変形して具現化できる。また、上記実施形態に開示されている複数の構成要素の適宜な組み合わせにより種々の発明を形成できる。例えば、実施形態に示される全構成要素から幾つかの構成要素を削除してもよい。更に、異なる実施形態に亘る構成要素を適宜組み合わせてもよい。
以下に、いくつかのテレビジョン受像機及び電子機器を付記する。  
[１]、(i)ディスプレイと、(ii)タッチセンサが設けられて前記ディスプレイの前面に面した透光性のパネルと、(iii)前記ディスプレイの背面を覆うリアカバーと、(iv)前記パネルが露出した開口部が設けられた前壁と、前記前壁から前記リアカバーに向けて延びて前記リアカバーの側面を覆う側壁と、を有して外部に露出されたフロントマスクと、(v)前記側壁の内面から突出した前記フロントマスクの一部であって、前記ディスプレイの側面に面した第１部分と、該第１部分から前記リアカバーに向いて延びて、前記ディスプレイの背面よりも前記リアカバー側に突出した第２部分と、を有して前記ディスプレイ及び前記パネルの少なくとも一方を支持した支持部と、(vi)前記ディスプレイと前記リアカバーとの間に収容され、前記第２部分に沿って前記ディスプレイの背面に取り付けられて前記第２部分に接した第１部品と、を有したテレビジョン受像機。
[２]、[１]の記載において、前記支持部は、前記ディスプレイの背面と略平行な方向で前記側壁の内面から突出し、前記支持部と前記リアカバーとの間には、第２部品が収容可能な空間が設けられたテレビジョン受像機。
[３]、[１]または[２]の記載において、前記支持部の少なくとも一部は、前記ディスプレイと前記リアカバーとの間に位置し、前記ディスプレイの背面を支持するテレビジョン受像機。
[４]、[１]または[３]の記載において、前記支持部は、前記側壁の内面に沿って環状に設けられたテレビジョン受像機。
[５]、[４]の記載において、前記ディスプレイと前記リアカバーとの間に収容された第３部品をさらに有し、前記第３部品の少なくとも一部は、前記環状の支持部が規定した開口部の内側に位置したテレビジョン受像機。
[６]、[４]または[５]の記載において、バッテリケースを有して前記ディスプレイと前記リアカバーとの間に収容されたバッテリをさらに備え、前記バッテリケースの少なくとも一部は、前記環状の支持部が規定した開口部の内側に位置して前記ディスプレイの背面を支持するテレビジョン受像機。
[７]、[１]または[６]の記載において、前記ディスプレイは、該ディスプレイを駆動する回路基板を有し、前記回路基板は、前記支持部と前記リアカバーとの間に位置して前記支持部に取り付けられたテレビジョン受像機。
[８]、(i)表示部と、(ii)前記表示部の背面を覆うリアカバーと、(iii)前記表示部の前面が露出した開口部が設けられた前壁と、前記前壁から前記リアカバーに向いて延びた側壁とを有したフロントマスクと、(iv)前記側壁の内面から突出した前記フロントマスクの一部であって、前記表示部に面した第１部分と、前記表示部の背面よりも前記リアカバー側に位置した第２部分と、を有して前記表示部を支持した支持部と、を有した電子機器。
[９]、[８]の記載において、前記支持部の少なくとも一部は、前記表示部と前記リアカバーとの間に位置し、前記表示部の背面を支持する電子機器。
[１０]、[８]または[９]の記載において、前記表示部は、柔軟性を有し、前記リアカバーは、複数の部材と、該複数の部材の間に設けられた第１弾性部とを有し、前記フロントマスクは、複数の部材と、前記第１弾性部に対応した位置で前記複数の部材の間に設けられた第２弾性部とを有し、前記第１弾性部及び前記第２弾性部を中心として折り曲げ可能な電子機器。
[１１]、(i)表示部と、(ii)前記表示部の背面を覆うリアカバーと、(iii)前記表示部の前面が露出した開口部が設けられ、外部に露出されたフロントマスクと、(iv)前記フロントマスクの一部であって、前記表示部の側面に面した第１部分と、該第１部分から前記表示部の背面よりも前記リアカバー側に突出した第２部分と、を有して前記表示部を支持した支持部と、を有した電子機器。
【符号の説明】
【０１７５】
１…テレビジョン受像機、４…筐体、５…表示部、６…ディスプレイ、６ａ…前面、６ｂ…背面、６ｃ…側面、１１…前壁、１２…背壁、１３…側壁、１３ａ…内面、１４…開口部、２１…フロントマスク、２２…リアカバー、２４…支持部、２４ａ…第１部分、２４ｂ…第２部分、２５…開口部、２６…第１部品、２７…第２部品、２９…収容部、３１…電子機器、４１…弾性部材、４２…バッテリケース。
【図１】
0005426714.tif 000002
【図２】
0005426714.tif 000003
【図３】
0005426714.tif 000004
【図４】
0005426714.tif 000005
【図５】
0005426714.tif 000006
【図６】
0005426714.tif 000007
【図７】
0005426714.tif 000008
【図８】
0005426714.tif 000009
【図９】
0005426714.tif 000010
【図１０】
0005426714.tif 000011
【図１１】
0005426714.tif 000012
【図１２】
0005426714.tif 000013
【図１３】
0005426714.tif 000014
【図１４】
0005426714.tif 000015
【図１５】
0005426714.tif 000016
【図１６】
0005426714.tif 000017
【図１７】
0005426714.tif 000018
【図１８】
0005426714.tif 000019
【図１９】
0005426714.tif 000020
【図２０】
0005426714.tif 000021
【図２１】
0005426714.tif 000022
【図２２】
0005426714.tif 000023
【図２３】
0005426714.tif 000024
【図２４】
0005426714.tif 000025
【図２５】
0005426714.tif 000026
【図２６】
0005426714.tif 000027
【図２７】
0005426714.tif 000028
【図２８】
0005426714.tif 000029
【図２９】
0005426714.tif 000030
【図３０】
0005426714.tif 000031
【図３１】
0005426714.tif 000032
【図３２】
0005426714.tif 000033
【図３３】
0005426714.tif 000034
【図３４】
0005426714.tif 000035
【図３５】
0005426714.tif 000036
【図３６】
0005426714.tif 000037
【図３７】
0005426714.tif 000038
【図３８】
0005426714.tif 000039
【図３９】
0005426714.tif 000040
【図４０】
0005426714.tif 000041